(57)【特許請求の範囲】
【請求項１】
ディスプレーシステムにおいて、
使用者によるタッチ入力を感知するタッチ入力部を含むリモコン部と；
前記リモコン部に対して遠隔に設けられたディスプレー装置とを含み、
前記ディスプレー装置は、
複数のコンテンツの中の少なくとも一つの映像を処理する映像処理部と；
コンテンツ映像を表示するディスプレー部と；
前記リモコン部から前記タッチ入力に対応するリモコン信号を受信するリモコン信号受信部と；
前記タッチ入力が前記タッチ入力部の縁の領域から前記タッチ入力部の内側の領域へ移動することに応答して、前記ディスプレー部に表示されている前記コンテンツ映像の上に前記コンテンツ映像に関する情報を提供するコンテンツ情報ウィンドウを表示する制御部と；
を含むことを特徴とするディスプレーシステム。
【請求項２】
前記リモコン部は、使用者の第１タッチ入力を感知して、
前記制御部は、前記複数のコンテンツの中の第１配列順序に基づいて決定された少なくとも一つのコンテンツ探索のためのUI項目を前記ディスプレー部に表示して、前記表示されるコンテンツのUI項目を、前記第１タッチ入力に対応する移動量だけ移動されたコンテンツのUI項目に転換して表示することを特徴とする請求項１に記載のディスプレーシステム。
【請求項３】
前記移動量は、前記ディスプレー部に一度に表示されることができる複数のコンテンツで構成されたページ単位のことを特徴とする請求項２に記載のディスプレーシステム。
【請求項４】
前記UI項目は現在選択されたコンテンツの映像と共に表示されることを特徴とする請求項２に記載のディスプレーシステム。
【請求項５】
前記リモコン部は、前記タッチ入力部上の第２タッチ入力を感知して、
前記制御部は、前記第２タッチ入力に対応して前記コンテンツの映像表示の中に前記UI項目の表示を開始又は解除することを特徴とする請求項２に記載のディスプレーシステム。
【請求項６】
前記リモコン部は、前記タッチ入力部上の第３タッチ入力を感知して、
前記複数のコンテンツは複数のカテゴリーに分類されて、
前記制御部は、前記複数のカテゴリーの中の第２配列順序に基づいて決定された少なくとも一つのカテゴリーに属するコンテンツの前記UI項目を表示して、前記表示されるコンテンツのUI項目を、前記第３タッチ入力に対応する移動量だけ移動されたカテゴリーに属するコンテンツのUI項目に転換して表示することを特徴とする請求項２ないし５のいずれか１項に記載のディスプレーシステム。
【請求項７】
前記第１タッチ入力は第１方向に移動するドラッグモーションに対応して、
前記第３タッチ入力は前記第１方向とは違う第２方向に移動するドラッグモーションに対応することを特徴とする請求項６に記載のディスプレーシステム。
【請求項８】
前記第１方向及び前記第２方向は上下方向及び左右方向の中ある一つに各々対応することを特徴とする請求項７に記載のディスプレーシステム。
【請求項９】
使用者によるタッチ入力を感知するタッチ入力部を含むリモコンと、前記リモコンに対して遠隔に設けられたディスプレー装置とを含むディスプレーシステムの制御方法にあって、
複数のコンテンツの中の少なくとも一つのコンテンツ映像を表示する段階と；
前記タッチ入力部によって使用者のタッチ入力を感知する段階と；
前記使用者のタッチ入力に対応するリモコン信号を前記ディスプレー装置が前記リモコンから受信する段階と；
前記タッチ入力が前記タッチ入力部の縁の領域から前記タッチ入力部の内側の領域へ移動することに応答して、前記コンテンツ映像に関する情報を提供するコンテンツ情報ウィンドウを前記コンテンツ映像の上に表示する段階と；
を含むディスプレーシステムの制御方法。
【請求項１０】
前記複数のコンテンツの探索のため第１配列順序に基づいて決定された少なくとも一つのコンテンツのUI項目を表示する段階と；
前記タッチ入力部を利用して使用者の第１タッチ入力を感知する段階と；
前記第１タッチ入力に対応するリモコン信号を受信する段階と；
前記表示されるコンテンツのUI項目を、前記第１タッチ入力に対応する移動量だけ移動されたコンテンツのUI項目に転換して表示する段階と；を更に含むことを特徴とする請求項９に記載のディスプレーシステムの制御方法。
【請求項１１】
前記UI項目は現在選択されたコンテンツの映像と共に表示されることを特徴とする請求項１０に記載のディスプレーシステムの制御方法。
【請求項１２】
前記タッチ入力部を利用して使用者の第２タッチ入力を感知する段階と；
前記第２タッチ入力に対応して前記映像表示の中に前記UI項目の表示を開始又は解除する段階と；
を更に含むことを特徴とする請求項１０記載のディスプレーシステムの制御方法。
【請求項１３】
前記複数のコンテンツが分類されて属する前記複数のカテゴリーの中の第２配列順序に基づいて決定された少なくとも一つのカテゴリーに属するコンテンツの前記UI項目を表示する段階と；
前記タッチ入力部を利用して使用者の第３タッチ入力を感知する段階と；
前記表示されるコンテンツのUI項目を、前記第３タッチ入力に対応する移動量だけ移動されたカテゴリーに属するコンテンツのUI項目に転換して表示する段階と；
を更に含むことを特徴とする請求項１０ないし１２のいずれか１項に記載のディスプレーシステムの制御方法。
【請求項１４】
前記第１タッチ入力は第１方向に移動するドラッグモーションに対応して、
前記第３タッチ入力は前記第１方向とは違う第２方向に移動するドラッグモーションに対応することを特徴とする請求項１３項に記載のディスプレーシステムの制御方法。
【請求項１５】
前記第１方向及び前記第２方向は上下方向及び左右方向の中のある一つに各々対応することを特徴とする請求項１４項に記載のディスプレーシステムの制御方法。
【発明の詳細な説明】
【技術分野】
【０００１】
本発明はディスプレー装置及びその制御方法に関するものとして、特に、リモコンを利用して使用者が遠隔で複数のチャンネルを検索することができるディスプレー装置及びその制御方法に関するものである。
【背景技術】
【０００２】
TVのようなディスプレー装置は放送局から放送信号を受信したり、DVDプレーヤのような映像機器から映像信号（以下、“放送信号”及び“映像信号”を通称して“映像信号”という）を入力して、これに基づいて映像を表示する。
【０００３】
映像信号には放送コンテンツ、映画コンテンツなど多様な映像コンテンツが含まれることができて、ディスプレー装置は使用者がこの中で視聴しようとすることを便利に検索することができるようにUIメニューを提供する。又、ディスプレー装置はリモコンを具備して、使用者がリモコンを利用して遠隔でより便利に映像コンテンツを選択することができるようにする。
【０００４】
ところで、最近ディスプレー装置を通じて視聴することができる映像コンテンツはどんどん多くなっていて、沢山の映像コンテンツを検索しやすいようにUIメニューを提供する技術が今まで提案されてきているが、まだそういう便利で有用なUIメニューを提供することは難しいことである。また、通常ディスプレー装置のリモコンはボタン方式を採用しているが、このようにリモコンのボタンを一一押しながら沢山の映像コンテンツを検索することはとても不便だという問題もある。
【発明の概要】
【発明が解決しようとする課題】
【０００５】
故に本発明の目的は、より便利で迅速に求める映像コンテンツを検索することができるディスプレー装置及びその制御方法を提供することである。
【課題を解決するための手段】
【０００６】
本発明の前記目的は、ディスプレー装置であって、複数のコンテンツの中の少なくとも一つの映像を処理する映像処理部と；前記映像と、前記コンテンツに関する情報を提供するコンテンツ情報ウインドを表示するディスプレー部と；前記ディスプレー部に対して遠隔で設けられて、使用者のモーションを感知するタッチ入力部を含むリモコン部と；前記リモコン部から前記使用者のモーションに対応するリモコン信号を受信するリモコン信号受信部と；前記タッチ入力部の領域の外から前記領域の内への使用者のモーションに対応して前記コンテンツ情報ウインドを表示したり、前記タッチ入力部の領域の内から前記領域の外への使用者のモーションに対応して前記コンテンツ情報ウインドの表示を解除する制御部と；を含むディスプレー装置によって達成することができる。
【０００７】
前記リモコン部は、使用者の第１タッチ入力を感知して、前記制御部は、前記複数のコンテンツの中の第１配列順序に基づいて決定された少なくとも一つのコンテンツ探索のためのUI項目を前記ディスプレー部に表示して、前記表示されるコンテンツのUI項目を、前記第１タッチ入力に対応する移動量だけ移動されたコンテンツのUI項目に転換して表示することができる。
【０００８】
前記第１タッチ入力は前記タッチ入力に接触された状態で移動するモーションを含むことができる。
【０００９】
前記移動量は、前記モーションの移動距離に対応することができる。
【００１０】
前記移動量は、前記モーションの速度に対応することができる。
【００１１】
前記移動量は、前記ディスプレー部に一度に表示されることができる複数のコンテンツで構成されたページ単位のことができる。
【００１２】
前記複数のコンテンツの前記UI項目は格子模様で配列されることができる。
【００１３】
前記複数のコンテンツの前記UI項目は帯模様で配列されることができる。
【００１４】
前記UI項目は現在選択されたコンテンツの映像と共に表示されることができる。
【００１５】
前記リモコン部は、前記タッチ入力部上の第２タッチ入力を感知して、前記制御部は、前記第２タッチ入力に対応して前記コンテンツの映像表示の中に前記UI項目の表示を開始又は解除することができる。
【００１６】
前記リモコン部は、前記タッチ入力部上の第３タッチ入力を感知して、前記複数のコンテンツは複数のカテゴリーに分類されて、前記制御部は、前記複数のカテゴリーの中の第２配列順序に基づいて決定された少なくとも一つのカテゴリーに属するコンテンツの前記UI項目を表示して、前記表示されるコンテンツのUI項目を、前記第３タッチ入力に対応する移動量だけ移動されたカテゴリーに属するコンテンツのUI項目に転換して表示することができる。
【００１７】
前記第１タッチ入力は第１方向に移動するモーションに対応して、前記第３タッチ入力は前記第１方向とは違う第２方向に移動するモーションに対応することができる。
【００１８】
前記第１方向及び前記第２方向は上下方向及び左右方向の中のある一つに各々対応することができる。
【００１９】
前記制御部は、対角方向に移動するモーションの前記タッチ入力がある場合、当該モーションによる前記上下方向及び前記左右方向各々の移動量に基づいて前記コンテンツ及び前記カテゴリーの移動を決定することができる。
【００２０】
本発明の前記目的は、リモコンを具備するディスプレー装置の制御方法にあって、リモコンに具備されたタッチ入力部を利用して使用者のモーションを感知する段階と；前記使用者のモーションに対応するリモコン信号を受信する段階と；前記タッチ入力部の領域の外から前記領域の内への使用者のモーションに対応して複数のコンテンツの中の少なくとも一つの映像に関する情報を提供するコンテンツ情報ウインドを表示したり、前記タッチ入力部の領域の内から前記領域の外への使用者のモーションに対応して前記コンテンツ情報ウインドの表示を解除する段階と；を含むディスプレー装置の制御方法によっても達成することができる。
【００２１】
前記ディスプレー装置の制御方法は、前記複数のコンテンツの探索のため第１配列順序に基づいて決定された少なくとも一つのコンテンツのUI項目を表示する段階と；前記タッチ入力部を利用して使用者の第１タッチ入力を感知する段階と；前記第１タッチ入力に対応するリモコン信号を受信する段階と；前記表示されるコンテンツのUI項目を、前記第１タッチ入力に対応する移動量だけ移動されたコンテンツのUI項目に転換して表示する段階と；を更に含むことができる。
【００２２】
前記第１タッチ入力は前記タッチ入力部に接触された状態で移動するモーションを含むことができる。
【００２３】
前記移動量は、前記モーションの移動距離に対応することができる。
【００２４】
前記移動量は、前記モーションの速度に対応することができる。
【００２５】
前記移動量は、前記ディスプレー部に一度に表示されることができる複数のコンテンツで構成されたページの可能性がある。
【００２６】
前記複数のコンテンツの前記UI項目は格子模様で配列されることができる。
【００２７】
前記複数のコンテンツの前記UI項目は帯模様で配列されることができる。
【００２８】
前記UI項目は現在選択されたコンテンツの映像と共に表示されることができる。
【００２９】
前記ディスプレー装置の制御方法は、前記コンテンツの映像を表示する段階と；
前記タッチ入力部を利用して使用者の第２タッチ入力を感知する段階と；前記第２タッチ入力に対応して前記映像表示の中に前記UI項目の表示を開始又は解除する段階を更に含むことができる。
【００３０】
前記ディスプレー装置の制御方法は、前記複数のコンテンツが分類されて属する前記複数のカテゴリーの中の第２配列順序に基づいて決定された少なくとも一つのカテゴリーに属するコンテンツの前記UI項目を表示する段階と；前記タッチ入力部を利用して使用者の第３タッチ入力を感知する段階と；前記表示されるコンテンツのUI項目を、前記第３タッチ入力に対応する移動量だけ移動されたカテゴリーに属するコンテンツのUI項目に転換して表示する段階を更に含むことができる。
【００３１】
前記第１タッチ入力は第１方向に移動するモーションに対応して、前記第３タッチ入力は前記第１方向とは違う第２方向に移動するモーションに対応することができる。
【００３２】
前記第１方向及び前記第２方向は上下方向及び左右方向の中のある一つに各々対応することができる。
【００３３】
前記ディスプレー装置の制御方法は、前記タッチ入力部を利用して対角方向に移動するモーションの使用者の第４タッチ入力を感知する段階と；前記モーションによる前記上下方向及び前記左右方向各々の移動量に基づいて前記コンテンツ及び前記カテゴリーの移動を決定する段階を更に含むことができる。
【発明の効果】
【００３４】
以上の如く、本発明によると、より便利で迅速に求める映像コンテンツを検索することができる。
【図面の簡単な説明】
【００３５】
【図１】図１は、本発明の一実施例によるディスプレー装置を示す図である。
【図２】図２は、図１に図示されたディスプレー装置の構成を図示したブロック図である。
【図３】図１及び２に図示されたリモコン装置の外観を詳しく示す図である。
【図４】図４は、図３に図示されたタッチ入力部を利用した使用者のタッチ入力の多様な例を示す図である。
【図５】図５は、図１及び２に図示されたディスプレー装置が表示するUIメニューの一例を示す図である。
【図６】図６は、図１及び２に図示されたディスプレー装置が表示するページ及び／又はカテゴリーの移動を説明するための図である。
【図７】図７は、図３に図示されたタッチ入力部を利用してページ及び／又はカテゴリーの移動を指示する使用者のモーションの一例を示す図である。
【図８】図８は、図７に図示されたモーションの移動距離及び速度各々に対応するページ及び／又はカテゴリーの移動量を説明するための図である。
【図９】図９は、図７に図示されたモーションの移動距離及び速度各々に対応するページ及び／又はカテゴリーの移動量を説明するための図である。
【図１０】図１０は、図３に図示されたタッチ入力部を利用してページ及び／又はカテゴリーの移動を指示する使用者のモーションの他の例を示す図である。
【図１１】図１１は、図１０に図示された使用者のモーションに対応したページ及び／又はカテゴリーの移動を詳しく説明するための図である。
【図１２】図１２は、図１及び２に図示されたディスプレー装置が表示する簡易UIメニューを示す図である。
【図１３】図１３は、図１及び２に図示されたディスプレー装置が表示するチャンネル情報ウインドの例を示す図である。
【図１４Ａ】図１４Ａは、図１３に図示されたチャンネル情報ウインドの表示の開始を説明するための図である。
【図１４Ｂ】図１４Ｂは、図１３に図示されたチャンネル情報ウインドの表示の開始を説明するための図である。
【図１５Ａ】図１５Ａは、図１３に図示されたチャンネル情報ウインドの表示の解除を説明するための図である。
【図１５Ｂ】図１５Ｂは、図１３に図示されたチャンネル情報ウインドの表示の解除を説明するための図である。
【図１６】図１６は、本発明の一実施例によるディスプレー装置の制御方法を説明するための流れ図である。
【図１７】図１７は、本発明の一実施例によるディスプレー装置の制御方法を説明するための流れ図である。
【図１８】図１８は、本発明の一実施例によるディスプレー装置の制御方法を説明するための流れ図である。
【図１９】図１９は、本発明の一実施例によるディスプレー装置の制御方法を説明するための流れ図である。
【発明を実施するための形態】
【００３６】
以下、本発明の一実施例に関して詳しく説明する。図１は本発明の一実施例によるディスプレー装置１を図示する。ディスプレー装置１はTVで具現されることができて、映像を表示するディスプレー本体１０と、使用者の操作によってディスプレー本体１０を制御するためのリモコン装置２０を含む。リモコン装置２０はディスプレー本体１０と別途に設けられて、使用者の操作によるリモコン信号をディスプレー本体１０に転送して、ディスプレー本体１０はリモコン装置２０からリモコン信号を受信してこれに対応する動作を行う。
【００３７】
図２は図１に図示されたディスプレー装置１の構成を図示したブロック図である。先ず、ディスプレー本体１０は映像信号受信部１１、映像処理部１２、ディスプレー部１３、貯蔵部１４、リモコン信号受信部１５及び本体制御部１６を含む。
【００３８】
映像信号受信部１１は映像コンテンツが含まれた映像信号を受信する。また、映像信号には映像コンテンツだけではなく、音声コンテンツ及び／又はデータコンテンツも当然含まれることができる。映像信号受信部１１によって受信される映像信号は放送局から転送される放送信号と、所定の映像機器から入力される信号を含む。放送信号の場合、映像信号受信部１１は複数のチャンネルの中のある一つのチャンネルの放送信号を選択的に受信することができる。放送信号は空中波放送、ケーブル放送、衛星放送など知られているすべての放送信号を含む。また、放送信号の種類はデジタル放送及びアナログ放送を含む。映像信号受信部１１は受信された放送信号から映像コンテンツなどを得るための信号処理を行うことができる。こういう信号処理はチューニング、アナログ−デジタル変換、復調、デジタル−アナログ変換などを含む。
【００３９】
映像機器から入力される映像信号の場合、映像信号受信部１１は入力される映像信号の特性に対応して映像信号を送信する映像機器との通信を行うことができる。こういう通信は有線通信、及び無線通信を含めて、アナログ通信及びデジタル通信を含む。また、通信の方式にあっても、映像コンテンツなどの転送のために利用されることができると知られているすべての通信を含む。映像信号受信部１１に映像信号を提供する映像機器の種類には制限がなくて、DVDプレーヤ、BD（ブルーレイディスク）プレーヤ、PC、携帯電話、スマートフォン、他のTVなどを含む。映像信号受信部１１は入力される映像信号から映像コンテンツなどを得るための信号処理を行うこともできる。こういう信号処理はアナログ−デジタル変換、デジタル−アナログ変換などを含む。
【００４０】
更に、映像信号受信部１１はネットワークを通じて所定のサーバから映像信号を受信したり、USB貯蔵媒体のような移動式貯蔵装置から映像信号を入力されることができる。場合によって、映像信号受信部１１は映像信号を受信するために相方装置と与えられた方式の通信を行うことができる。
【００４１】
ある場合にも、映像信号受信部１１は本体制御部１６の制御によって前記した映像信号を受信及び処理動作を行うことができる。
【００４２】
映像処理部１２は映像信号受信部１１によって受信された映像信号から得た映像コンテンツなどに対してディスプレーできるように所定の映像処理を行う。こういう映像処理はデマルチプレクシング、デコーディング 、スケーリング、画質調停処理、画質改選処理などを含む。また、映像処理部１２は使用者とのインターフェースのためのUIメニューに関する映像を処理することができる。映像処理部１２は映像コンテンツなどによる映像と、UIメニューに関する映像各々の少なくとも一部を一画面に重畳したり、並んで配置する処理を行うこともできる。
【００４３】
ディスプレー部１３は映像処理部１２によって処理された映像をディスプレーする。ディスプレー部１３が映像をディスプレーする方式には制限がなくで、知られているすべてのディスプレー方式を含む。こういうディスプレー方式の例には、LCD,OLED,PDP,プロジェクション、CRTなどがある。
【００４４】
貯蔵部１４はディスプレー本体１０の動作に必要なデータが貯蔵される。貯蔵部１４はデータを半永久的に貯蔵することができると知られているすべての非揮発性メモリーを含む。こういう非揮発性のメモリーは、EEPROM、フラッシュメモリー、ハードディスクドライブなどがある。
【００４５】
リモコン信号受信部１５はリモコン装置２０から転送されるリモコン信号を受信する。リモコン信号受信部１５はリモコン装置２０から転送されるリモコン信号の特性に合わせて構成されることができる。このようなリモコン信号の転送方式は、例えば、赤外線送信、RF通信などがあるが、前記した例に制限されることではなく、遠隔制御用に利用されることができると知られているすべての信号転送方式を含むことができる。リモコン信号受信部１５はリモコン信号から使用者の入力情報を得るための必要な信号処理を行うことができる。リモコン信号受信部１５は受信されるリモコン信号若しくは得られた使用者の入力情報を本体制御部１６に転送する。
【００４６】
本体制御部１６はディスプレー本体１０の動作を全般的に制御する。本体制御部１６はリモコン信号受信部１５が受信したリモコン信号から得られる使用者の入力情報によってディスプレー本体１０の各構成を制御する。本体制御部１６は使用者が求める映像信号を受信するように映像信号受信部１１を制御することができる。本体制御部１６は映像信号受信部１１が受信した映像信号から得られる映像コンテンツ及び／又はUIメニューに対する所定の映像処理が行われるように映像処理部１２を制御することができる。本体制御部１６はこのような制御実行の必要によって貯蔵部１４にデータを貯蔵したり、貯蔵部１４に貯蔵されたデータを読み出すことができる。
【００４７】
本体制御部１６は前記した制御実行に対応するコンピュータープログラムの実行コードが貯蔵される非揮発性のメモリーと、非揮発性のメモリーに貯蔵された実行コードの少なくとも一部がローディングされる揮発性のメモリーと、揮発性のメモリーにローディングされた実行コードを実行するマイクロプロセッサを含むことができる。
【００４８】
図示されてないが、ディスプレー本体１０はディスプレー装置１の動作に必要な他の構成を更に含むことができる。こういう構成の例は、音声信号の受信、処理及び出力を各々行う音声信号受信部、音声信号受信部及び音声出力部、リモコン装置２０とは別個にディスプレー本体１０に設けられて使用者の指示を受けるための入力パッド部、ディスプレー本体１０の各構成の動作に必要な電源を供給する電源供給部などがある。
【００４９】
次に、本発明の一実施例によるリモコン装置２０に対して説明する。リモコン装置２０は、図２に図示されたように、タッチ入力部２１、キー入力部２２、リモコン信号送信部２３及びリモコン制御部２４を含むことができる。タッチ入力部２１はモーション形態の使用者の指示を受けて、キー入力部２２は使用者の指示として先に決められた特定入力が選択されたかの可否を確認する。リモコン制御部２４はタッチ入力部２１及びキー入力部２２から得た使用者の入力に関する情報をリモコン信号送信部２３を通じてリモコン信号の形態でディスプレー本体１０に送信する。リモコン信号送信部２３はディスプレー本体１０のリモコン信号受信部１５と対応する信号転送方式の構成である。
【００５０】
図３は図１及び２に図示されたリモコン装置２０のタッチ入力部２１及びキー入力部２２の外観を詳しく図示する。図３に図示されたように、リモコン装置２０はハウジング２５を更に含めて、タッチ入力部２１はハウジング２５の一領域に、キー入力部２２はハウジング２５の他領域に各々露出されるように設けられる。キー入力部２２は複数のボタンを含めて、複数のボタン各々は数字、文字など先に決められたキーコードとマッチングされる。図示されてないが、キー入力部２２の複数のボタン各々の表面には使用者がわかるように該当ボタンにマッチングされた数字、文字などの標識が形成されることができる。
【００５１】
タッチ入力部２１は使用者の身体一部が接触されることができる接触面２１１がある。図３に図示された接触面２１１は四角形の形象であるというのを例示しているが、接触面２１１はこれに限らずに、円形、楕円形若しくは他の形態の多角形を全部含む。
【００５２】
本実施例のリモコン装置２０は使用者が片手で把持することができて、その時親指が接触面２１１に接触されることをその代表的な例と挙げているが（図３の符号３０参照）、接触面２１１と、使用者の身体の接触はこれに限らずに、多様に成ることができる。タッチ入力部２１は接触面２１１上の使用者の指３０の動き（以下、“タッチ入力”ともいう。）を感知して、その感知の結果をリモコン制御部２４に転送する。
【００５３】
図４は図３に図示されたタッチ入力部２１を利用した使用者のタッチ入力の様々な例を図示する。前記説明したように、図４に図示されたタッチ入力は使用者の特定の手及び／又は特定の指で成ったことを例示しているが、これに限定されることではない。
【００５４】
図４に図示されたように、タッチ入力部２１を利用した使用者のタッチ入力は、接触面２１１の任意の地点をタッチすること（図４の（a）参照）、接触面２１１において所定方向に接触を維持したまま動くこと（図４の（b）参照）、二つ以上の指を利用して接触された指の間隔を広くしたり（図４の（c）参照）、詰めること（図４の（d）参照）、ある一つの指の接触が固定された地点を中心に他の指の接触を回転したり（図４の（e）参照）、両方の指の接触地点を全部相対的に回転させたり（図４の（f）参照）、二つ以上の指の接触を一緒に回転させること（図４の（g）参照）などを含むことができる。
【００５５】
ディスプレー本体１０の本体制御部１６は、リモコン装置２０のタッチ入力部２１を利用した使用者のタッチ入力によってこれに対応する制御動作を行う。例えば、本体制御部１６は、図４の（a）のようなタッチ入力に対応してUIメニューを開始又は解除したり、UIメニュー上のある項目にカーソル又はハイライトをフォーカシングしたり、該当項目を選択すること、図４の（b）のようなタッチ入力に対応してカーソル又はハイライトを移動したり、UIメニューのページを転換したり、映像自体を移動させて映像の見えない部分を表示したり、UI項目をドラッグしてその位置を変更すること、図４の（c）又は（d）のようなタッチ入力に対応して映像を拡大したり縮小すること、図４（e）、（f）又は（g）のようなタッチ入力に対応して映像を回転させることなどを含むことができる。
【００５６】
以下、本発明の一実施例によるディスプレー装置１を利用した映像コンテンツなどの検索に関して説明する。ディスプレー装置１を通じて検索することができる映像コンテンツは、例えば、放送コンテンツ、映画コンテンツ、写真、動映像などを挙げることができるが、これに制限されることではない。また、前記説明したように、ディスプレー装置１を利用して使用者が検索することができるコンテンツは映像コンテンツに限定されることではなくて、音声コンテンツ、データコンテンツなど多様である。以下、ディスプレー装置１が提供することができるすべてのコンテンツを通称して“コンテンツ”とする。
【００５７】
本発明の一実施例によるディスプレー装置１は、受信される複数のチャンネルの放送信号を通じてコンテンツを提供することを仮定する。また、ディスプレー装置１には少なくとも一つの映像機器が接続されることができて、該当映像機器から入力される映像信号を通じても別個のコンテンツが提供されることができる。更に、ディスプレー装置１は貯蔵部１４に他のコンテンツを貯蔵することができて、貯蔵部１４に貯蔵されたコンテンツが提供されることができるのも同様である。
【００５８】
ディスプレー装置１は前記したように多様な経路を通じて提供されることができるコンテンツに対した便利な検索のためUIメニューを利用する。図５は図１及び２に図示されたディスプレー装置１が表示するUIメニュー１３１の一例を図示する。本体制御部１６は、ディスプレー部１３を通じてUIメニュー１３１が表示されるように映像処理部１２を制御する。
【００５９】
UIメニュー１３１は、図５に図示されたように、提供されることができる複数のコンテンツ各々に対応する複数のUI項目１３２を含む。図５では複数のUI項目１３２が格子模様に配置されることを図示するが、複数のUI項目１３２の配置形態はこれに限定されないで、様々な形態に配置することができる。各UI項目１３２は該当コンテンツに関する情報を見せることができて、例えば、コンテンツに関する情報は該当コンテンツのチャンネル番号１３３、チャンネル名１３４、タイトル１３５などを含む。図示されないが、コンテンツに関する情報は該当コンテンツのサムネイルイメージを含むこともできる。図示の便宜上、図５で一部UI項目１３２に対するコンテンツ情報は図示が省略されている。
【００６０】
使用者は複数のUI項目１３２を利用して求めるコンテンツを検索及び選択することができる。本体制御部１６は、使用者が複数のUI項目１３２の中のある一つを選択するように任意のUI項目１３２をハイライトさせる（図５の符号１３６参照）。本体制御部１６は、リモコン装置２０のキー入力部２２及び／又はタッチ入力部２１を利用した使用者の指示によってハイライト１３６を他のUI項目１３２に移動させ表示して、使用者は求めるUI項目１３２がハイライトされた時、該当UI項目１３２のコンテンツを選択することができる。
【００６１】
複数のUI項目１３２を通じて表せることができるコンテンツはディスプレー装置１が提供することができる全体コンテンツの一部である。ディスプレー装置１はコンテンツ全部を一度に画面に表すことができない状況を考慮して、画面に表すことができるだけのコンテンツに対応するUI項目（１３２；以下、これを“ページ”という）を一度に見せる。UIメニュー１３１は現在表示されているUI項目１３２のコンテンツが属するページに関する情報（１３７及び１３８）を含むことができる。参照符号１３７は全体７ページの中で現在２番目のページというのを数字で表したもので、参照符号１３８はバー形態のインジケータを利用したものである。
【００６２】
更に、ディスプレー装置１は全体コンテンツをカテゴリー別に分類して、カテゴリー別にコンテンツのUI項目１３２を表示することができる。こういうカテゴリーの例は、全体チャンネル、TV、ラジオ、外部入力（映像機器からのコンテンツに対応）などである。UIメニュー１３１は現在表示されているUI項目１３２のコンテンツが属するカテゴリーの情報１３９を含むことができる。
【００６３】
本体制御部１６は、使用者の指示によって、現在表示されているUI項目１３２を、現在表しているページ以外の他のページに属するコンテンツ、若しくは現在表しているカテゴリー以外の他のカテゴリーに属するコンテンツに対応するUI項目１３２に転換して表示することができる。このようなページ及び／又はカテゴリーの転換（以下、“移動”ともいう）に対応する使用者の指示は、リモコン装置２０のキー入力部２２及び／又はタッチ入力部２１によって成ることができる。例えば、キー入力部２２は上下左右に配置された四つのボタンを含めて、この中で上下に配置されたボタンが押されるとカテゴリー間の移動が、左右に配置されたボタンが押されるとページ間の移動が各々成ることができる。ここで、ページ及び／又はカテゴリー間の移動が成る時、新しく表せるコンテンツが決定されることができるように、ディスプレー装置１にはカテゴリーの配列順序及び一つのカテゴリーに属するコンテンツの配列順序が所定基準によって決められている。故に、本体制御部１６は、使用者からページ及び／又はカテゴリー間の移動の指示があると、前記配列順序を参照して新しく表せるコンテンツを決定して、決定されたコンテンツに対応するUI項目１３２を表示する。図６はこのようなページ及び／又はカテゴリーの移動を詳しく説明するための図面である。図６で実線で図示されたUI項目１３２は現在表示されているページ及びカテゴリーを表せて、点線で図示されたUI項目１３２は以前又は次のページ、若しくは以前又は次のカテゴリーを仮想的に表せる。各場合のUI項目１３２上に図示された円内部の参照番号は、ページ又はカテゴリーの配列順序を表せる。例えば、ページ間移動の場合、“２１”“２２”及び“２３”の配列順序に、カテゴリー間移動の場合、“１２”“２２”及び“３２”の配列順序に移動することができる。一方、UIメニュー１３１は次又は以前のカテゴリーが何であるかを先に知らせる情報（１３９a及び１３９b）を更に含むことができる。
【００６４】
また、ページ及び／又はカテゴリーの移動はタッチ入力部２１を利用した使用者のモーションによって成ることができる。図７はタッチ入力部２１を利用してページ及び／又はカテゴリーの移動を指示する使用者のモーションの一例を図示する。図７では使用者のモーションとして使用者の指３０の動きを図示するが、使用者のモーションはこれに限らない。
【００６５】
図７に図示したように、使用者は指をタッチ入力部２１の接触面２１１に接触したままで上下左右方向（図７の矢印及び参照符号３０a、３０b、３０c及び３０d参照）に動くことができる。本体制御部１６は、接触面２１１上で成った使用者のモーションの方向によって次又は以前のページ、若しくは次又は以前のカテゴリーに移動することに決定して、これに対応してUI項目１３２を転換して表示することができる。本実施例では、前記のキー入力部２２の場合と同じ原理で上下のモーション（参照符号３０c及び３０d）に対応してはカテゴリー間移動がなることができ、左右のモーション（参照符号３０a及び３０b）に対応してはページ間移動がなることができるが、これは一つの例示に過ぎず、多様な形態になることができる。故に本発明の一実施例によったディスプレー装置１によると、タッチ入力部２１を利用した直感的で簡易な操作で、沢山のコンテンツをより迅速で便利に検索することができる。
【００６６】
本体制御部１６はタッチ入力部２１の接触面２１１上の使用者のモーションに対応してページ及び／又はカテゴリーの移動量を決定することができる。こういう移動量を決定する具体的な因子は、例えば接触面２１１上の使用者のモーションの移動距離及びその速度を含む。図８及び９はモーションの移動距離及び速度各々に対応するページ及び／又はカテゴリーの移動量を説明するための図面である。図６に似た、図８及び９にあっても、実線で図示されたUI項目１３２は現在表示されているページを表せて、点線で図示された二つのUI項目１３２は次のページを仮想的に表せる。各場合のUI項目上に図示された円内部の参照番号はページの配列順序(“１”“２”及び“３”の順)を表せる。図８及び９を利用して図示される本発明の一実施例では、ページの移動に関することだけを例示して説明したが、これはカテゴリーに対しても同じく適用されることができるというのを周知すべきである。
【００６７】
先ず図８を参照すると、下段にはタッチ入力部２１上を動く二つの場合のモーションを表せて、二つの場合のモーション両方が右側の方向に動く場合（つまり、対応してUI項目が次のページに移動される）を仮定する。図８の左下段に図示された参照符号３０e及び３０fはモーションが小さい場合のモーションの開始点及び完了点に各々対応する使用者の指の位置を、右下段に図示された参照符号３０g及び３０hは、モーションが大きい場合のモーションの開始点及び完了点に各々対応する使用者の指の位置を各々図示する。つまり、前者はモーションの移動距離が短い場合に、後者はモーションの移動距離が長い場合に各々該当する。本体制御部１６は、モーションの移動距離が短い場合に比べて、モーションの移動距離が長い場合にページが相対的に長く移動するようにその移動量を決定することができる。例えば、本体制御部１６は、現在配列順序が“１”のページのUI項目１３２が表示された状態で、モーションの移動距離が短い場合に対して、配列順序が“２”のページをUI項目１３２に転換して表示し、モーションの移動距離が長い場合に対して、配列順序“２”より更に次に配列される配列順序“３”のページのUI項目１３２に転換して表示することができる。
【００６８】
他の例に、図９を参照すると、図８と同じく、下段にはタッチ入力部２１上を動く二つの場合のモーションを表せて、二つのモーション両方が右側の方向に動く場合（つまり、対応してUI項目が次のページに移動される）を仮定する。図９の左下段に図示された参照符号３０i及び３０jはモーションが遅い場合の開始点及び完了点に各々対応する使用者の指の位置を、右下段に図示された参照符号３０k及び３０iは、モーションが早い場合のモーションの開始点及び完了点に各々対応する使用者の指の位置を各々図示する。つまり、前者はモーションの速度が遅い場合に、後者はモーションの速度が速い場合に各々該当する。本体制御部１６は、モーションの速度が遅い場合に比べて、モーションの速度が速い場合にページが相対的に長く移動するようにその移動量を決定することができる。例えば、本体制御部１６は、現在配列順序が“１”のページのUI項目１３２が表示された状態で、モーションの速度が遅い場合に対応しては配列順序が“２”のページのUI項目１３２に転換して表示すれば、モーションの速度が速い場合に対応しては配列順序“２”より更に次に配列される配列順序“３”のページのUI項目１３２に転換して表示することができる。
【００６９】
ある場合にも、一度のモーションに対応するページの移動量には特別な制限がなくて、使用者のモーションの程度によって一ページだけ移動させることもできて、数ページずつ移動させることもできる。故に、本発明の一実施例によるディスプレー装置１によると、タッチ入力部２１上の使用者の直感的で簡易なモーションだけで、沢山のコンテンツをより便利で迅速に検索することができる。
【００７０】
図１０及び１１を参照して、本発明の他の実施例によるディスプレー装置１を説明する。図１０はタッチ入力部２１を利用してページ及び／又はカテゴリーの移動を指示する使用者のモーションの他の例を図示する。図１０に図示されたように、ページ及び／又はカテゴリーの移動を指示する使用者のモーションは上下左右方向に限らずに、対角線方向もできるというのを図示する（図１０の矢印及び符号３０m、３０n、３０o及び３０p参照）。本体制御部１６は、対角線方向の使用者のモーションがあると判断されると、これを左右方向のモーション及び上下方向のモーションの組合に見做して、これに対応するページ及びカテゴリー各々の移動量を決定することができる。例えば、使用者のモーションが右上方向の対角方向(符号３０n参照)であると、本体制御部１６は、次のページ及び以前のカテゴリーにUI項目１３２を転換して表示することができる。図１１は図１０に図示された使用者のモーションに対応したページ及び／又はカテゴリーの移動を詳しく説明するための図面である。図１１で実線で図示されたUI項目１３２は現在表示されたページ及びカテゴリーを表せて、点線で図示されたUI項目１３２は以前又は次のページ、若しくは以前又は次のカテゴリーを仮想的に表せる。各場合のUI項目１３２上に図示された円内部の参照番号はページ又はカテゴリーの配列順序を表せる。例えば、ページ間移動の場合、“１１”又は“３１”、“２２”、“１３”又は“３３”の配列順序に、カテゴリー間移動の場合、“１１”又は“１３”、“２２”、“３１”又は“３３”の配列順序に移動されることができる。
【００７１】
以下、本発明のまた他の実施例によるディスプレー装置１を説明する。ディスプレー装置１はあるコンテンツ（以下、“チャンネル”ともいう）の視聴中に他のチャンネルの検索のための簡易なUIメニューを提供することができる。図１２は本発明の一実施例による簡易メニューを図示する。図１２で符号１３１１は現在視聴しているチャンネルの映像を、符号１３１２はチャンネル検索のための簡易UIメニューを各々表せる。簡易UIメニュー１３１２は、図１２に図示されたように、複数のUI項目１３１３でなっていて、各UI項目１３１３はチャンネル名、チャンネル番号などのチャンネル情報を見せてくれる。複数のUI項目１３１３は３次元の帯模様の形態で配列されていて、現在視聴中のチャンネルに対応するUI項目１３１３は真っ先に位置する。
【００７２】
簡易メニュー１３１２は、チャンネル映像１３１１の視聴中に使用者の指示があるとその表示が開始又は解除されることができる。例えば、チャンネル映像１３１１の視聴中にタッチ入力部２１を通じて図３の（a）のような形態のタッチが成ると、簡易メニュー１３１２の表示を開始することができる。また、簡易UIメニュー１３１２の表示の中に図３の（a）のような形態のタッチがまた成ると、簡易UIメニュー１３１２の表示を解除することができる。
【００７３】
一方、複数のUI項目１３１３は使用者の指示によって転換されて表示されることができる。例えば、下の方向に転換する場合、現在真っ先に位置しているチャンネル“７８１”は、一段階下に移動すると同時にチャンネル“４１２“が真っ先に移動することがある。この場合、同時に背景映像１３１１がチャンネル“４１２”に変更されることもある。このようなチャンネルの転換はキー入力部２２及びタッチ入力部２１を利用した使用者の指示によって成ることができる。特に、本体制御部１６は、タッチ入力部２１上の使用者のモーションによって複数のUI項目１３１３の移動量を決定することができる。この場合使用者のモーションは上下方向になる可能性がある。本実施例での複数のUI項目１３１３の移動量に関して前記実施例で説明した内容と同じく適用されることができるので、これに対する具体的な説明は省略する。
【００７４】
また、複数のUI項目１３１３を通じて表せるチャンネルは所定のカテゴリーに分類されることができて、使用者の指示によってカテゴリーが転換されて表示されることもある。簡易メニュー１３１２は、現在チャンネルが属したカテゴリーを表せる情報１３１４を表示することができる。本体制御部１６は、タッチ入力部２１上の使用者のモーションによって複数のUI項目１３１３のカテゴリーを転換することができる。この場合使用者のモーションは左右方向に成る事がある。本実施例での複数のUI項目１３１３のカテゴリーの転換及びその移動量に関して前記実施例で説明した内容が同じく適用されることができるので、これに対する具体的な説明は省略する。このように、本発明の一実施例によるディスプレー装置１によると、タッチ入力部２１上の使用者の直感的で簡易なモーションだけで、視聴中に他のチャンネルをより便利で迅速に検索することができる。
【００７５】
以下図１３ないし図１５Ｂを参照して、本発明のまた他の実施例によるディスプレー装置１を説明する。ディスプレー装置１はあるチャンネルの映像の視聴中にチャンネル情報の提供のためのチャンネル情報ウインドを提供することができる。図１３は本発明の一実施例によるチャンネル情報ウインド１３１５の二つの例を図示する。チャンネル情報ウインド１３１５は、図１３に図示されたように、ウインドの形態をもってチャンネルの映像１３１１の一部領域に重畳的に表示することができる。チャンネル情報ウインド１３１５は、現在視聴しているチャンネルは勿論他のチャンネルの情報、視聴ヒストリーなど多様なチャンネルの情報を含むことができる。
【００７６】
チャンネル情報ウインド１３１５の表示の開始及び解除はタッチ入力部２１上の使用者のモーションによって成ることができる。図１４Ａ及び図１４Ｂは本発明の一実施例によるチャンネル情報ウインド１３１５の表示の開始を説明するための図面で、図１５Ａ及び図１５Ｂはチャンネル情報ウインド１３１５の表示の解除を説明するための図面である。先ず図１４Ａ及び図１４Ｂを参照すると、図１４Ｂの左下段にはチャンネル情報ウインド１３１５の表示を開始させるタッチ入力部２１上の使用者のモーションを図示する。参照符号３０q及び３０rは、チャンネル情報ウインド１３１５を表示する場合のモーションの開始点及び完了点に各々対応する使用者の指の位置を各々図示する。この場合、図示されたように、使用者の指がタッチ入力部２１の右側のはし２１aから内側に進入するように動くことを表す。本体制御部１６は、チャンネル映像１３１１の視聴中に、図１４Ｂの左下段に図示されたのと同じ使用者のモーションがあると判断されると、これに対応してチャンネル情報ウインド１３１５を画面の右側のはしから画面内側の方に進入するように表示することができる（図１４Ａ及び図１４Ｂの符号１３１５a、１３１５b及び１３１５c参照）。
【００７７】
一方、図１５Ａ及び図１５Ｂを参照して、図１５Ｂの左下段にはチャンネル情報ウインド１３１５の表示を解除させるタッチ入力部２１上の使用者のモーションを図示する。参照符号３０s及び３０tは、チャンネル情報ウインド１３１５を表示解除する場合のモーションの開始点及び完了点に各々対応する使用者の指の位置を各々図示する。この場合、図示されたように、使用者の指がタッチ入力部２１の内側から右側のはし２１aに動くことを表す。本体制御部１６は、チャンネル情報ウインド１３１５の表示の中に、図１５の左下段に図示されたことのような使用者のモーションがあると判断されると、これに対応してチャンネル情報ウインド１３１５の表示を解除することができる。(図１５Ａ及び図１５Ｂの符号１３１５d、１３１５e及び１３１５f参照)。
【００７８】
以上の実施例ではチャンネル情報ウインド１３１５の右側はしからの動き又は右側はしへの動きを例示するが、これに限定されないで多様な形態になることができる。このように、本発明の一実施例によるディスプレー装置１によると、タッチ入力部２１上の使用者の直感的で簡易なモーションだけで、チャンネル情報をより便利に利用することができる。
【００７９】
以下、図１６ないし図１９を参照して、本発明の一実施例によるディスプレー装置１の制御方法に関して説明する。先ず図１６を参照して、本体制御部１６は使用者が選択したチャンネルの映像信号が受信されるように映像信号受信部１１を制御して、映像信号受信部１１によって受信される映像信号に基づいてディスプレー部１３に映像がディスプレーされるように映像処理部１２を制御する（１６０１）。
【００８０】
本体制御部１６は前記チャンネルの映像の視聴中にタッチ入力部２１を利用した使用者のタッチ入力があるかを確認する（１６０２）。万一、タッチ入力部２１を利用した使用者のタッチ入力がない場合（１６０２のNo）、本体制御部１６は動作１６０１をもう一度行う。反面、タッチ入力部２１を利用した使用者のタッチ入力がある場合（１６０２のYes）、本体制御部１６は映像表示の中にチャンネル検索のためのUIメニュー（図５の符号１３１又はず図１２の符号１３１２参照）を表示する（１６０３）。本体制御部１６は使用者の指示によってUIメニュー（１３１又は１３１２）を利用したチャンネル検索を行う。
【００８１】
本体制御部１６はUIメニュー(１３１又は１３１２)の表示の中にタッチ入力部２１を利用した使用者のタッチ入力があるかを確認する（１６０４）。万一、タッチ入力部２１を利用した使用者のタッチ入力がない場合（１６０４のNo）、本体制御部１６は動作１６０３をもう一度行う。反面、タッチ入力部２１を利用した使用者のタッチ入力がある場合（１６０４のYes）、本体制御部１６はUIメニュー(１３１又は１３１２)の表示を解除する（１６０５）。本体制御部１６は動作を続けるのかを確認して（１６０６）、もし動作を続けることに判断すると（１６０６のYes）、動作１６０１に戻って、そうではないと（１６０６のNo）動作を終了する。
【００８２】
図１７を参照してディスプレー装置１の制御方法に関して続いて説明する。ディスプレー本体１０は使用者の指示によってチャンネル検索のためのUIメニュー(１３１又は１３１２)を表示する（１７０１）。一方、リモコン装置２０はタッチ入力部２１上の使用者のモーションを感知する（１７０２）。ディスプレー本体１０はリモコン装置２０から使用者のモーションに対応するリモコン信号を受信する（１７０３）。次に、ディスプレー本体１０は使用者のモーションに対応するUI項目(１３２又は１３１３)のページ及び／又はカテゴリーの移動量を決定して、現在表示されたUI項目（１３２又は１３１３）を、決定された移動量だけ移動されたページ及び／又は移動されたカテゴリーのUI項目(１３２又は１３１３)に転換して表示する（１７０４）。
【００８３】
図１８を参照して図１７の動作１７０４を詳しく説明する。本体制御部１６は使用者のモーションを分析して、モーションの方向を確認する（１８０１）。動作１８０１の結果、モーションの方向が左右方向の場合（１８０２のYes）、本体制御部１６はモーションに対応する移動量だけUI項目(１３２又は１３１３)のページを移動して表示する（１８０３）。一方、動作１８０１の結果、モーションの方向が左右方向ではなく（１８０２のNo）、上下方向の場合（１８０４のYes）、本体制御部１６はモーションに対応する移動量だけUI項目(１３２又は１３１３)のカテゴリーを移動して表示する（１８０５）。万一、モーションの方向が左右方向及び上下方向の両方ではない場合（１８０４のNo）、本体制御部１６は動作を続けるのかを確認して（１８０６）、動作を続けることに判断すると（１８０６のYes）、動作１８０１に戻って、そうではないと（１８０６のNo）動作を終了する。本実施例には、モーションの方向を左右方向及び上下方向だけを考慮するのを例示しているが、これに限らずに図１０及び図１１を参照して説明したようにモーションの方向は対角線方向などの可能性もある。
【００８４】
図１９を参照してディスプレー装置１の制御方法の他の例に関して続いて説明する。ディスプレー装置１が使用者の選択したチャンネルの映像信号に基づいて映像を表示する（１９０１）。ディスプレー装置１は映像の表示の中にタッチ入力部２１を利用した使用者のタッチ入力を感知する（１９０２）。動作１９０２の結果、タッチ入力がタッチ入力部２１のはしから内側への動きではないと（１９０３のNo）、動作１９０１がもう一度行われる。万一タッチ入力がタッチ入力部２１のはしから内側への動きなら（１９０３のYes）、ディスプレー装置１は映像表示の中にチャンネル情報ウインド１３１５が画面内に進入するように表示する（１９０４）。
【００８５】
ディスプレー装置１はチャンネル情報ウインド１３１５の表示の中にタッチ入力部２１を利用した使用者のタッチ入力を感知する（１９０５）。動作１９０５の結果、タッチ入力がタッチ入力部２１の内側からはしへの動きではないと（１９０６のNo）、動作１９０５がもう一度行われる。万一タッチ入力がタッチ入力部２１の内側からはしへの動きなら（１９０６のYes）、ディスプレー装置１は表示されたチャンネル情報ウインド１３１５の表示を解除する（１９０７）。ディスプレー装置１は動作を続けるのかを確認して１９０８、動作を続けることに判断すると（１９０８のYes)、動作１９０１に戻って、そうではないと(１９０８のNo)動作を終了する。
【００８６】
以上、正しい実施例を通じて本発明に関して詳しく説明したが、本発明はこれに限定されることなく、特許請求範囲内で多様に実施されることができる。
【符号の説明】
【００８７】
１：ディスプレー装置
１０：ディスプレー本体
２０：リモコン装置
【図１】
0005791949.tif 000002
【図２】
0005791949.tif 000003
【図３】
0005791949.tif 000004
【図４】
0005791949.tif 000005
【図５】
0005791949.tif 000006
【図６】
0005791949.tif 000007
【図７】
0005791949.tif 000008
【図８】
0005791949.tif 000009
【図９】
0005791949.tif 000010
【図１０】
0005791949.tif 000011
【図１１】
0005791949.tif 000012
【図１２】
0005791949.tif 000013
【図１３】
0005791949.tif 000014
【図１４Ａ】
0005791949.tif 000015
【図１４Ｂ】
0005791949.tif 000016
【図１５Ａ】
0005791949.tif 000017
【図１５Ｂ】
0005791949.tif 000018
【図１６】
0005791949.tif 000019
【図１７】
0005791949.tif 000020
【図１８】
0005791949.tif 000021
【図１９】
0005791949.tif 000022